(57)【要約】【課題】  シールリップがドアガラスの変位や振動を防止して、ドアガラスを確実に保持するとともに、ドアガラスとシールリップとの摺動抵抗を減少させる自動車用ガラスランを提供する。【解決手段】  車内側シールリップ６０は、車外側シールリップ５０よりも長く形成するとともに、車内側側壁３０から延設された車内側シールリップ根元部６１と、その延長方向に延設された車内側シールリップ先端部６２とから構成され、車内側シールリップ根元部６１の肉厚は、車内側シールリップ先端部６２の肉厚よりも厚くし、車内側シールリップ根元部６１と車内側シールリップ先端部６２の連続部分を車内側シールリップ屈曲部６４とし、屈曲点となるように車内側シールリップ屈曲部６４の肉厚の変化を他の部分よりも大きくしたたことを特徴とする自動車用ガラスランである。【選択図】        図１
2005153695.tif 000002
【特許請求の範囲】
【請求項１】
自動車ドアのドアフレームの内周に取付けられ、ドアガラスの昇降を案内し、車外側側壁と、車内側側壁と、底壁とからなる断面略Ｕ字状のガラスラン本体部を備えた自動車用ガラスランにおいて、
上記車外側側壁と車内側側壁には、それぞれ上記ガラスラン本体部の断面略Ｕ字状の内側に向かって延出する車外側シールリップと車内側シールリップを設け、該車外側シールリップと車内側シールリップにより上記ガラスラン本体部の内側に挿入される上記ドアガラスの両側端部の車外側面および車内側面をシールし、
上記車内側シールリップは、上記車外側シールリップよりも長く形成するとともに、上記車内側側壁から延設された車内側シールリップ根元部と、該車内側シールリップ根元部からその延長方向に延設された車内側シールリップ先端部とから構成され、上記車内側シールリップ根元部の肉厚は、車内側シールリップ先端部の肉厚よりも厚くし、上記車内側シールリップ根元部と車内側シールリップ先端部の連続部分を車内側シールリップ屈曲部とし、屈曲点となるように該車内側シールリップ屈曲部の肉厚の変化を他の部分よりも大きくしたたことを特徴とする自動車用ガラスラン。
【請求項２】
上記車内側シールリップは、上記車内側シールリップ根元部が略一定の肉厚で略平板状であり、上記車内側シールリップ先端部は先端に行くにつれて徐々に肉厚が減少する請求項１に記載の自動車用ガラスラン。
【請求項３】
上記車内側シールリップは、上記車内側シールリップ根元部が内面が凹に若干湾曲するとともに、車内側シールリップ根元部の根元中央部がその両端部分よりも薄肉でかつ、車内側シールリップ先端部よりも肉厚に形成され、上記車内側シールリップ先端部は、内面が凹に若干湾曲する請求項１に記載の自動車用ガラスラン。
【請求項４】
上記車内側シールリップは、少なくとも上記ドアフレームの縦辺部に装着されるガラスランに設けられた請求項１乃至請求項３のいずれかに記載の自動車用ガラスラン。
【請求項５】
上記車内側シールリップ先端部は、その先端から車内側側壁方向に屈曲した車内側シールリップ先端突部を設けた請求項１乃至請求項４のいずれかに記載の自動車用ガラスラン。
【請求項６】
上記車外側シールリップ及び上記車内側シールリップは、上記ドアガラスと当接する部分に摺動抵抗を減少させる処理をした表面を設けた請求項１乃至請求項５のいずれかに記載の自動車用ガラスラン。
【請求項７】
上記車内側シールリップ先端突部と上記車内側側壁の内面に摺動抵抗を減少させる処理をした表面を設けた請求項１乃至請求項６のいずれかに記載の自動車用ガラスラン。
【発明の詳細な説明】
【技術分野】
【０００１】
本発明は、自動車ドアのドアフレームの内周に取付け、ドアガラスの昇降を案内する自動車用ガラスランに関するものである。
【背景技術】
【０００２】
図５に示すように、自動車ドア１のドアフレーム２の内周には、ドアガラス５の昇降を案内するガラスラン１１０が取付けられている。その従来の断面構造を図６に示す。図６は、図５のＡ−Ａ線に沿った断面図である。
【０００３】
従来、ガラスラン１１０は、図５に示すようにドアフレーム２のチャンネル３内に取付けられて、ドアガラス５の昇降を案内するとともにドアガラス５とドアフレーム２との間をシールしている。ガラスラン１１０は、押出成形により成形された直線状の押出成形部分をドアフレーム２のコーナー部の形状に合わせて形成する型成形部分で接続している。なお、ドア１と車体との間のシールは、ドアパネルとドアフレーム２の外周に取付けられたドアウエザストリップおよび／または車体の開口部のフランジに取付けられたオープニングトリムウエザストリップ（図示せず）によりなされている。
【０００４】
ガラスラン１１０は、車外側側壁１２０と、車内側側壁１３０と、底壁１４０からなる断面略Ｕ字状のガラスラン本体部を備えている。車外側側壁１２０の先端付近から車外側シールリップ１５０がガラスラン本体部の断面略Ｕ字状の内側に向けて延出するように設けられている。
また、車内側側壁１３０にも、その先端付近から車内側シールリップ１６０がガラスラン本体部の断面略Ｕ字状の内側に向けて延出するように設けられている。車外側側壁１２０、車内側側壁１３０と底壁１４０は、ドアフレーム２のチャンネル３内に挿入され、それぞれの外面がチャンネル３の内周に当接され、ガラスラン１１０がドアフレーム２の内周に保持されている。
【０００５】
ドアガラス５は、その昇降時にその端部が、このガラスラン１１０のガラスラン本体部の断面略Ｕ字状の内側を摺動するとともに、上記車外側シールリップ１５０と車内側シールリップ１６０によってその端部の両側面がシールされて保持されている（例えば、特許文献１参照。）。しかしながら、換気等のため、ドアガラス５の昇降をドアフレーム２の途中で止める場合がある。
このとき、ドアガラス５は、ドアフレーム２の上辺で保持されていなく、ドアガラス５が、両側端のガラスラン１１０のみで保持されているため、横方向（車両の幅方向）に振動することがある。特に、ドアガラス５は自動車が高速走行する場合には車外側に吸い出されて車外方向に変位したり、戻ったりする場合や、悪路走行時の車体の振動によりドアガラス５が振動する場合がある（例えば、特許文献２参照。）。
【０００６】
このとき、この変位や振動を防止するために、車内側シールリップ１６０と車外側シールリップ１５０を厚肉にしたり、硬度を高くしたりして、ガラスラン１１０のドアガラス５の保持力を向上させようとすることが考えられる。ところが、肉厚を上げるとドアガラス５の昇降の抵抗力が大きくなり、ドアガラス５の昇降がうまくいかなくなる場合がある。また、片持ち梁タイプの車内側シールリップ１６０と車外側シールリップ１５０だけでは、ドアガラス５の昇降の抵抗力を抑えてドアガラス５を充分強く保持することができない。そこで、先端を薄肉にして、根元部分を厚肉にして、ガラスランの保持を十分にして摺動抵抗を減少させることが行われている。
【０００７】
しかしこの場合には、ドアガラス５の変位量が小さいときは、車内側シールリップ１６０と車外側シールリップ１５０の先端部分のみが当接して、ドアガラス５を押えるための反力が小さく、ドアガラス５の保持力が小さくて、ドアガラス５の変位量が大きいと、根元部分の肉厚が大きいため反力が大きくなり、ドアガラス５がいわゆる底着きした状態となり、ドアガラス５の振動を充分吸収することができなかった。
【特許文献１】特開２０００−２５４６２号公報（第２−３頁、第２図）
【特許文献２】特開２００２−１９４７３号公報（第５−５頁、第１図（ｂ））
【発明の開示】
【発明が解決しようとする課題】
【０００８】
そこで、本発明はドアガラスがガラスラン内のどの位置にいる場合でも、シールリップがドアガラスの変位や振動を防止して、ドアガラスを確実に保持するとともに、ドアガラスとシールリップとの摺動抵抗を減少させて、ドアガラスの昇降をスムースに行うとともに、異音が発生することを防止する自動車用ガラスランを提供することを目的とするものである。
【課題を解決するための手段】
【０００９】
上記課題を解決するために請求項１の本発明は、自動車ドアのドアフレームの内周に取付けられ、ドアガラスの昇降を案内し、車外側側壁と、車内側側壁と、底壁とからなる断面略Ｕ字状のガラスラン本体部を有する自動車用ガラスランにおいて、車外側側壁と車内側側壁には、それぞれガラスラン本体部の断面略Ｕ字状の内側に向かって延出する車外側シールリップと車内側シールリップを設け、車外側シールリップと車内側シールリップによりガラスラン本体部の内側に挿入されドアガラスの両側端部の車外側面および車内側面をシールし、車内側シールリップは、車外側シールリップよりも長く形成するとともに、車内側側壁から延設された車内側シールリップ根元部と、車内側シールリップ根元部からその延長方向に延設された車内側シールリップ先端部とから構成され、車内側シールリップ根元部の肉厚は、車内側シールリップ先端部の肉厚よりも厚くし、車内側シールリップ根元部と車内側シールリップ先端部の連続部分を車内側シールリップ屈曲部とし、屈曲点となるように車内側シールリップ屈曲部の肉厚の変化を他の部分よりも大きくしたたことを特徴とする自動車用ガラスランである。
【００１０】
請求項１の本発明では、車外側側壁と車内側側壁の先端には、それぞれガラスラン本体部の断面略Ｕ字状の内側に向かって延出する車外側シールリップと車内側シールリップが設けられている。そして、車外側シールリップと車内側シールリップによりガラスラン本体部の内側に挿入されるドアガラスの両側端部の車外側面および車内側面をシールするとともに、ドアガラスの端部を保持することができる。そのため、ドアフレームとドアガラスとの間のシールをすることができる。
【００１１】
車外側シールリップを車内側シールリップよりも短く形成したため、ドアガラスを車外側に位置させることができ、ドアとドアガラスとの外面における段差が小さくなり、空気抵抗が減少するとともに、デザイン的にも好ましい。
車内側シールリップは、車内側側壁から延設された車内側シールリップ根元部と、車内側シールリップ根元部からその延長方向に延設された車内側シールリップ先端部とから構成されたため、車内側シールリップの根元側と先端側で肉厚や形状を変化させることができ、ガラスラン内のドアガラスの変位に応じて、ドアガラスに対して適切な保持力とシール力を有することができる。
【００１２】
車内側シールリップ根元部の肉厚は、車内側シールリップ先端部の肉厚よりも厚くしたため、ドアガラスがガラスラン内で変位する量が少ないときは、車内側シールリップ根元部は変形しにくいため、車内側シールリップ根元部が車内側シールリップ先端部を一定位置に保持することができ、安定したシール力と保持力を有することができる。ドアガラスが大きく変位したときは、車内側シールリップ先端部とともに車内側シールリップ根元部が変形して、その変位に対して充分な抗力を有することができる。
車内側シールリップは、車内側シールリップ根元部と、車内側シールリップ根元部からその延長方向に同様にガラスラン本体部の断面Ｕ字状の内部方向に向けて延設された車内側シールリップ先端部とから構成されている。このため、車内側シールリップは、車内側シールリップ根元部と車内側シールリップ先端部により、断面形状において、特にドアガラスが当接する外面がスムースな一つの板状あるいは円弧状をなしており、ドアガラスが容易に摺動することができる。
【００１３】
さらに、車内側シールリップ根元部と車内側シールリップ先端部の連続部分を車内側シールリップ屈曲部とし、屈曲点となるように車内側シールリップ屈曲部の肉厚の変化を他の部分よりも大きくしたため、ガラスランにドアガラスが当接し、ドアガラスが車内側シールリップを押したときに、車内側シールリップは車内側シールリップ屈曲部で確実に屈曲する。このため、ドアガラスの変位が変化しても車内側シールリップ屈曲部の変形により、ドアガラスの変位が小さくともドアガラスに対する所定の押し圧力を与えることができ、ドアガラスを保持することができるとともに、シール力を確保できる。また、急にドアガラスに対する反力が増大することがなく、ドアガラスの摺動抵抗を増大させることがない。また、車内側シールリップ先端部は、車内側シールリップ屈曲部で撓むことができるので、ドアガラスの振動を吸収することができる。
【００１４】
請求項２の本発明は、車内側シールリップは、車内側シールリップ根元部が略一定の肉厚で略平板状であり、車内側シールリップ先端部は先端に行くにつれて徐々に肉厚が減少する自動車用ガラスランである。
【００１５】
請求項２の本発明では、車内側シールリップは、車内側シールリップ根元部が略一定の肉厚で略平板状であるため、車内側シールリップ先端部がドアガラスに押されても、車内側シールリップ根元部が変形し難く、車内側シールリップ先端部を保持することができる。さらに、ドアガラスの変位が大きくなると、車内側シールリップ屈曲部で車内側シールリップが変形した後に、車内側シールリップ根元部が徐々に屈曲して、その屈曲点は、車内側シールリップ根元部の先端から付根方向に徐々に移動していくため、ドアガラスの変位に応じて反力を維持することができる。
車内側シールリップ先端部は先端に行くにつれて徐々に肉厚が減少するため、上述のように車内側シールリップ屈曲部で車内側シールリップが変形するときも、ドアガラスの表面に沿って柔軟に当接することができ、シール性を確保することができるとともに、ドアガラスの振動を吸収することができる。
【００１６】
請求項３の本発明は、車内側シールリップは、車内側シールリップ根元部が内面が凹に若干湾曲するとともに、車内側シールリップ根元部の根元中央部がその両端部分よりも薄肉でかつ、車内側シールリップ先端部よりも肉厚に形成され、車内側シールリップ先端部は、内面が凹に若干湾曲する自動車用ガラスランである。
【００１７】
請求項３の本発明では、上記車内側シールリップは、上記車内側シールリップ根元部が内面が凹に若干湾曲するとともに車内側シールリップ根元部の根元中央部がその両端部分よりも薄肉でかつ、車内側シールリップ先端部よりも肉厚に形成されるため、ドアガラスの変位が小さい場合でも車内側シールリップ屈曲部が屈曲して所定の反力をドアガラスに与えることができ、ドアガラスの振動を防止することができる。さらに、ドアガラスの変位が大きくて、車内側シールリップ屈曲部が屈曲した後に、さらに車内側シールリップが屈曲するときは、この車内側シールリップ根元部の根元中央部が屈曲することができるため、２段階の荷重曲線を得ることができ、ドアガラスの変位と振動を効果的に吸収することができる。
【００１８】
請求項４の本発明は、車内側シールリップが少なくともドアフレームの縦辺部に装着されるガラスランに設けられた自動車用ガラスランである。
【００１９】
請求項４の本発明は、本発明の構成を有する車内側シールリップを、少なくともドアフレームの縦辺部に装着されるガラスランに設けられたため、ドアガラスの昇降がドアフレームの途中で止まっている場合、即ち半開きの場合でも、ドアガラスの縦辺部を確実に保持することができ、ドアガラスの振動や異音の発生を防止することができる。
【００２０】
請求項５の本発明は、車内側シールリップ先端部は、その先端から車内側側壁方向に屈曲した車内側シールリップ先端突部を設けた自動車用ガラスランである。
【００２１】
請求項５の本発明では、車内側シールリップ先端部は、その先端から車内側側壁方向に屈曲した車内側シールリップ先端突部を設けたため、ドアガラスが大きく変位したときに、車内側シールリップ先端突部が車内側側壁に当接して、車内側シールリップの変形を支えることができ、ドアガラスのそれ以上の変位を防止できるとともに、車内側シールリップが車内側側壁に密着することが無いため、車内側シールリップが車内側側壁との密着から剥がれるときに生ずる異音が発生することが無い。
【００２２】
請求項６の本発明は、車外側シールリップ及び車内側シールリップは、ドアガラスと当接する部分に摺動抵抗を減少させる処理をした表面を設けた自動車用ガラスランである。
【００２３】
請求項６の本発明では、車外側シールリップ及び車内側シールリップは、ドアガラスと当接する部分、即ち両シールリップの外側の面に摺動抵抗を減少させる処理をしたため、ドアガラスの昇降をスムースにすることができ、昇降時にドアガラスと擦れて、異音や振動が発生することがない。
【００２４】
請求項７の本発明は、車内側シールリップ先端突部と、車内側側壁の内面に摺動抵抗を減少させる処理をした表面を設けた自動車用ガラスランである。
【００２５】
請求項７の本発明では、車内側シールリップは、車内側シールリップ先端突部と車内側側壁の内面に摺動抵抗を減少させる処理をした表面を設けたため、ドアガラスが、車内側シールリップを車内側側壁方向に押して、車内側シールリップ先端突部が車内側側壁に当接したときに、車内側シールリップ先端突部が摺動しやすいため、車内側側壁と車内側シールリップ先端突部との摺動がより一層スムースと成り、ドアガラスの移動や振動を容易に吸収することができ、車内側シールリップ先端突部と車内側側壁の内面が擦れて異音を発生することがない。
【発明の効果】
【００２６】
本発明は、ガラスランの車内側シールリップの車内側シールリップ根元部の肉厚は、車内側シールリップ先端部の肉厚よりも厚くし、車内側シールリップ根元部と車内側シールリップ先端部の連続部分を車内側シールリップ屈曲部とし、屈曲点となるように車内側シールリップ屈曲部の肉厚の変化を他の部分よりも大きくしたため、ドアガラスがドアフレームの途中で止まっている場合でも確実にドアガラスを保持することができるとともに、ドアガラスと車内側シールリップの間の摺動抵抗を下げてドアガラスの昇降をスムースにすることができる。
【発明を実施するための最良の形態】
【００２７】
本発明の実施の形態を図１〜図５に基づき説明する。図５は自動車ドアの側面図である。図５に示すように自動車のドア１の上部にはドアフレーム２が設けられ、ドアガラス５が昇降自在に取付けられる。すなわち、ドアフレーム２の内周には、チャンネル３が設けられ、チャンネル３にはガラスラン１０が取付けられ、ドアガラス５の昇降を案内するとともに、ドアガラス５とドアフレーム２との間をシールしている。
【００２８】
ガラスラン１０は、全体として押出成形で形成された略直線状の押出成形部分と、型成形で形成されて押出成形部分を接続する型成形部分からなる。押出成形部分は、ドアフレーム２の上辺に取付けられる部分と、ドアフレーム２のリヤ側縦辺に取付けられる部分と、ドアフレーム２のフロント側縦辺に取付けられる部分とからなる。型成形部分はこれらの押出成形部分をドアフレーム２に対応した形状となるように接続しており、ドアフレーム２のコーナー部に装着される部分となる。
【００２９】
まず、第１の実施の形態を図１と図３に基づき説明する。
ドアフレーム２の縦辺に取付けられる押出成形部の断面形状は、図１に示す。図１は、図５のＡ−Ａ線に沿ったガラスラン１０の断面図である。車外側側壁２０と、車内側側壁３０と、底壁４０とからなるガラスラン本体部１１は、断面略Ｕ字状に形成されている。押出成形後のドアフレーム２への取り付け前においては、ガラスラン本体部１１の断面略Ｕ字状の開口は若干開き気味に形成される。図３は、ガラスラン１０をドアフレーム２に取付けたときの図５のＡ−Ａ線に沿った断面図である。
車内側側壁３０の先端付近から車内側シールリップ６０がガラスラン本体部１１の断面略Ｕ字状の内側に向けて延設されている。また、車内側カバーリップ３１が車内側側壁３０の先端で車内方向に延設されている。
車外側側壁２０の先端から車外側シールリップ５０がガラスラン本体部１１の断面略Ｕ字状の内側に向けて延設されており、また、車外側カバーリップ２１が車外側側壁２０の先端で車外方向に延設されている。
【００３０】
図３に示すように、ガラスラン１０をドアフレーム２のチャンネル３に取付けると、車内側側壁３０の外面と車内側カバーリップ３１の内面の間の車内側側壁溝部３４にチャンネル３の車内側側壁が挿入され、車外側側壁２０の外面と車外側カバーリップ２１の内面の間の車外側側壁溝部２４にチャンネル３の車外側側壁が挿入され、チャンネル３の先端をカバーするとともにガラスラン１０を保持している。そして、ガラスラン１０は、チャンネル３に取付けられると車外側側壁２０、車内側側壁３０、底壁４０の各外面がチャンネル３の内面に接して、安定的に保持される。
【００３１】
車内側シールリップ６０は、車外側シールリップ５０よりも長く形成され、その肉厚も車外側シールリップ５０よりも厚く形成されている。このため、図３に示すように、ドアガラス５を車外側に位置させることができ、ドア１とドアガラス５との車外側から見た外面における段差が小さくなり、走行時の風切音と空気抵抗が減少するとともに、デザイン的にも好ましい。
特に、本発明の車内側シールリップ６０の形状を、少なくともドアフレーム２の縦辺部に装着されるガラスラン１０に設けると、ドアガラス５の昇降がドアフレーム２の途中で止まっている場合、即ち半開きの場合でも、ドアガラス５の縦辺部を保持することができ、ドアガラス５の変位や振動を防止することができる。
【００３２】
車内側シールリップ６０は、車内側側壁３０からガラスラン本体部１１の断面Ｕ字状の内部方向に向けて延設された車内側シールリップ根元部６１と、車内側シールリップ根元部６１からその延長方向に同様にガラスラン本体部１１の断面Ｕ字状の内部方向に向けて延設された車内側シールリップ先端部６２とから構成されている。このため、車内側シールリップ６０は、車内側シールリップ根元部６１と車内側シールリップ先端部６２により、断面形状において、特にドアガラス５当接する外面がスムースな一つの板状あるいは円弧状をなしており、ドアガラス５が容易に摺動することができる。
【００３３】
車内側シールリップ根元部６１は、車内側シールリップ６０の略半分程度の長さまで形成され、車内側側壁３０から略一定の肉厚で略平板状であり、その肉厚は、車内側シールリップ先端部６２の肉厚よりも厚く形成されている。このため、車内側シールリップ先端部６２がドアガラス５の押されても、車内側シールリップ根元部６１が肉厚であるため、変形し難く、後述のように車内側シールリップ屈曲部６４で屈曲して、ドアガラス５の変形が小さいときでも所定の反力でドアガラス５を保持することができるとともに、ドアガラス５が若干変位して、車内側シールリップ根元部６１が変形しないため、車内側シールリップ先端部６２を所定の位置で保持することができる。
【００３４】
さらに、ガラスラン１０内で、ドアガラス５の変位が大きくなると、後述のように車内側シールリップ屈曲部６４で車内側シールリップ６０が変形した後に、車内側シールリップ根元部６１が徐々に屈曲して、車内側シールリップ根元部６１が略一定の肉厚で略平板状であるため、その屈曲点は、車内側シールリップ根元部６１の先端から付根方向に徐々に移動していき、ドアガラス５の変位に応じてドアガラス５を保持する反力を維持することができる。
【００３５】
車内側シールリップ６０の車内側シールリップ先端部６２は、車内側シールリップ６０の略半分程度の長さで形成され、その先端に行くにつれて、徐々に肉厚が減少するように形成されている。そのため、ドアガラス５が車内側シールリップ先端部６２に当接して、後述のように、車内側シールリップ屈曲部６４で車内側シールリップ６０が変形するときも、ドアガラスの表面に沿って柔軟に当接することができ、シール性を確保することができるとともに、ドアガラス５の振動を吸収することができる。
【００３６】
車内側シールリップ６０の車内側シールリップ根元部６１と車内側シールリップ先端部６２の連続部分を、車内側シールリップ屈曲部６４とし、ドアガラス５が車内側シールリップ６０に当接して、車内側シールリップ６０を屈曲させたときに、屈曲点となるように車内側シールリップ屈曲部の肉厚の変化を車内側シールリップ６０の他の部分よりも大きく形成した。図１に示すように、車内側シールリップ屈曲部６４の内面において、湾曲状に肉厚が減少している。
【００３７】
車内側シールリップ屈曲部６４では、急激に、断面が曲線状に減少するため、ガラスラン１０にドアガラス５が当接し、ドアガラス５が車内側シールリップ６０を押したときに、車内側シールリップ６０は車内側シールリップ屈曲部６４に応力が集中して、確実に屈曲するため、ドアガラス５の変位が変化しても、ドアガラス５が車内側シールリップ根元部６１まで変位するまでは、車内側シールリップ屈曲部６４の屈曲によって、ドアガラス５に対する所定の押し圧力を与えることができ、シール力を確保できるとともに、ドアガラス５の摺動抵抗を増大させることが無い。また、車内側シールリップ先端部６２は、車内側シールリップ屈曲部６４で撓むことができるので、ドアガラス５に密着して、ドアガラス５の振動を吸収することができる。
【００３８】
また、車内側シールリップ根元部６１は、断面が略平板上に形成されているか、あるいはドアガラス５に向けて凸状に若干湾曲しているため、ドアガラス５が上昇してドアガラス５の先端が車内側シールリップ根元部６１に当ったときに、図３に示すように、弾性的に撓むとともに、車内側シールリップ根元部６１の表面を摺動して、ガラスラン本体部１１の内部に挿入され、車内側シールリップ６０と車外側シールリップ５０の間に入ることができる。この車内側シールリップ６０と車外側シールリップ５０のドアガラス５と当接する部分には後述するように、低摺動部材が塗布等されているため、摺動はスムースになされる。
【００３９】
車外側側壁２０の先端から車外側シールリップ５０がガラスラン本体部１１の断面略Ｕ字状の内側に向けて延設されており、また、車外側カバーリップ２１が車外側側壁２０の先端で車外方向に延設されている。車外側側壁２０の外面と車外側カバーリップ２１の内面の間の車外側側壁溝部２４にチャンネル３の車外側側壁が挿入され、ガラスラン１０を保持している。車外側側壁２０の先端内面には、車外側シールリップ５０が一体的に設けられている。
車外側シールリップ５０は略板状あるいは曲率半径の大きな円弧状であり、車内側シールリップ６０よりもリップが短く、肉厚も薄い。車外側シールリップ５０は、リップも断面の長さが短く、肉厚も薄いため、ガラスラン本体部１１の断面Ｕ字形の内部でドアガラス５をドアフレーム２の車外側に近づけることができ、ドアガラス５とドアフレーム２との車外側面の段差を少なくして、風切音と空気抵抗を減少させるとともに車体の表面が平滑になり外観上好ましい。
【００４０】
車外側シールリップ５０、車内側シールリップ６０、車内側シールリップ先端突部６３について摺動抵抗を減少させる処理をするが、この処理は、低摺動部材を表面に塗布したり、低摺動部材のフィルムを表面に貼り付けたり、低摺動部材とガラスラン１０を同時に押出成形して表面に低摺動部材の薄膜を一体に形成しても良い。低摺動部材は、ドアガラス５との摩擦抵抗の低いものであれば使用することができるが、例えば、硬質熱可塑性オレフィンエラストマー材、フッ素樹脂の不織布、ポリエチレン材、ウレタンコート、シリコンコート等を使用することができる。
【００４１】
次に、本発明の第２の実施の形態を図２と図４に基づき説明する。
図２は、図５のＡ−Ａ線に沿った断面図であり、図４は、ガラスラン１０をドアフレーム２のチャンネル３に取付けたときの図５のＡ−Ａ線に沿った断面図である。第２の実施の形態は、第１の実施の形態とガラスラン１０の車内側シールリップ６０の形状が異なり、他の部分は同様である。そのため、車内側シールリップ６０以外の説明については省略する。
【００４２】
図１の形態と同様に、車外側シールリップ５０は、車内側シールリップ６０よりも短く形成され、その肉厚も車外側シールリップ５０よりも厚く形成されている。このため、図３に示すように、ドアガラス５を車外側に位置させることができ、ドア１とドアガラス５との車外側から見た外面における段差が小さくなり、走行時の風切音と空気抵抗が減少するとともに、デザイン的にも好ましい。
【００４３】
車内側シールリップ６０は、車内側側壁３０からガラスラン本体部１１の断面Ｕ字状の内部方向に向けて延設された車内側シールリップ根元部６１と、車内側シールリップ根元部６１からその延長方向に同様にガラスラン本体部１１の断面Ｕ字状の内部方向に向けて延設された車内側シールリップ先端部６２とから構成されている。このため、車内側シールリップ６０は、車内側シールリップ根元部６１と車内側シールリップ先端部６２により、断面形状において、特にドアガラス５当接する外面がスムースな一つの板状あるいは円弧状をなしており、ドアガラス５が容易に摺動することができる。
【００４４】
車内側シールリップ６０の車内側シールリップ根元部６１は、内面が凹に若干湾曲するとともに車内側シールリップ根元部の根元中央部６１ｂがその両端部分、即ち車内側側壁３０との連続部分と車内側シールリップ先端部６２との連続部分よりも薄肉でかつ、車内側シールリップ先端部６２の内面が凹に若干湾曲する部分である車内側シールリップ先端湾曲部６２ｂよりも肉厚に形成されている。このため、ドアガラス５の変位が大きくて、車内側シールリップ屈曲部６４が屈曲した後に、さらに車内側シールリップ６０が屈曲するときは、この車内側シールリップ根元部６１の根元中央部６１ｂが屈曲することができるため、車内側シールリップ屈曲部６４での屈曲による荷重と、車内側シールリップ根元中央部６１ｂの荷重との２段階の荷重曲線を得ることができ、ガラスラン５の変位を効果的に吸収することができる。
【００４５】
車内側シールリップ６０の車内側シールリップ先端部６２は、内面が凹に若干湾曲するように形成されている。このため、車内側シールリップ屈曲部６４との連続部分で肉厚を急に変化させることができ、車内側シールリップ屈曲部６４での屈曲を容易にしている。また、ガラスラン１０に車内側シールリップ先端部６２が当接したときに、ガラスラン１０の面に車内側シールリップ先端部６２の表面が圧着し易く、シール性を確保することができる。
【００４６】
さらに、車内側シールリップ先端部６２の先端から、車内側側壁３０方向に屈曲した車内側シールリップ先端突部６３が設けられている。このため、ドアガラス５が大きく変位して、車内側側壁３０方向に車内側シールリップ６０を押したときに、車内側シールリップ先端突部６３が車内側側壁に３０当接して、車内側シールリップ６０の変形を支えることができ、ドアガラス５のそれ以上の変位を防止できる。また、車内側シールリップ先端突部６３が、クッション作用をして、ドアガラス５の振動を吸収することができる。さらに、車内側シールリップ６０が車内側側壁３０に密着することが無いため、車内側シールリップ６０と車内側側壁３０が密着から剥がれるときに生ずる異音が発生することがない。なお、この車内側シールリップ先端突部６３と車内側側壁３０の表面には、摺動抵抗を減少させる処理が施されている。
【００４７】
次に本発明のガラスラン１０の製造方法について説明する。ガラスラン５は、まず押出成形部分を成形する。押出成形は軟質のソリッド材を使用して成形する。押出成形時のガラスラン１０の断面形状は、略Ｕ字状の開口部分である先端部が少し開いた形状で押出成形される。これによって、チャンネル３への装着時に、チャンネル３へ両方の側壁が押圧力をかけることができる。また、車外側側壁２０、車内側側壁３０、底壁４０、車外側シールリップ５０及び車内側シールリップ６０へ低摺動部材を塗布する場合には、その作業がしやすくなる。
【００４８】
成形材料は、合成ゴム、熱可塑性エラストマー、軟質合成樹脂が使用され、例えば合成ゴムでは、ＥＰＤＭゴム、熱可塑性エラストマーでは、ポリオレフィン系エラストマー、軟質合成樹脂では、軟質塩化ビニル等が使用される。合成ゴムの場合は、押出成形後に加硫槽に搬送されて、熱風や高周波等により加熱されて加硫が行われる。熱可塑性エラストマー、軟質合成樹脂の場合は、冷却され固化される。その後所定の長さに切断されて、押出成形部分の製造は完了する。  
【００４９】
次に、型成形部分の成形は、上記により製造された押出成形部分の端部を型成形部分を成形する金型に挟持して、その金型のキャビティーに型成形部分を形成するソリッド材を注入する。型成形部分の断面形状は押出成形部分の断面形状と略同じである。成形材料は、押出成形部分に使用した材料と同じ種類のものを使用することが好ましい。合成ゴムの場合は、金型に注入した後に金型を加熱して加硫する。このとき、押出成形部分と型成形部分は同じ材料あるいは同種類の材料を使用して加硫接着をすることができるため、一体的に固着する。熱可塑性エラストマー、軟質合成樹脂の場合は、金型に注入されたときに注入材料は溶融されているため、その熱で押出成形部分と型成形部分は一体的に融着される。
【図面の簡単な説明】
【００５０】
【図１】本発明の実施の形態であるガラスランのドアフレーム縦辺部に取付けられる部分のドアフレーム取付け前の状態の断面形状である。
【図２】本発明の他の実施の形態であるガラスランのドアフレーム縦辺部に取付けられる部分のドアフレーム取付け前の状態の断面形状である。
【図３】本発明の実施の形態であるガラスランのドアフレームリヤ縦辺部に取付けられる部分のドアフレーム取付け後の状態の断面形状である。
【図４】本発明の他の実施の形態であるガラスランのドアフレームリヤ縦辺部に取付けられる部分のドアフレーム取付け後の状態の断面形状である。
【図５】自動車ドアの側面図である。
【図６】従来のガラスランの断面形状である。
【符号の説明】
【００５１】
２  ドアフレーム
５  ドアガラス
１０  ガラスラン
１１  ガラスラン本体部
２０  車外側側壁
３０  車内側側壁
４０  底壁
５０  車外側シールリップ
６０  車内側シールリップ
６１  車内側シールリップ根元部
６２  車内側シールリップ先端部
６３  車内側シールリップ先端突部
６４  車内側シールリップ屈曲部
【図１】
2005153695.tif 000003
【図２】
2005153695.tif 000004
【図３】
2005153695.tif 000005
【図４】
2005153695.tif 000006
【図５】
2005153695.tif 000007
【図６】
2005153695.tif 000008